(57)【特許請求の範囲】
【請求項１】
マルチキャリアシステムにおける割当キャリア（ａｓｓｉｇｎｅｄ  ｃａｒｒｉｅｒ）をスキャニングする方法であって、
不活性割当２次キャリア（ｉｎａｃｔｉｖｅ  ａｓｓｉｇｎｅｄ  ｓｅｃｏｎｄａｒｙ  ｃａｒｒｉｅｒ）のスキャニング報告（ｓｃａｎ  ｒｅｐｏｒｔｉｎｇ）のためのトリガ条件（ｔｒｉｇｇｅｒ  ｃｏｎｄｉｔｉｏｎ）を含むトリガ制御情報（ｔｒｉｇｇｅｒ  ｃｏｎｔｒｏｌ  ｉｎｆｏｒｍａｔｉｏｎ）を含むマルチキャリア広告メッセージ（ｍｕｌｔｉｃａｒｒｉｅｒ  ａｄｖｅｒｔｉｓｅｍｅｎｔ  ｍｅｓｓａｇｅ）を基地局から受信することと、
前記不活性割当２次キャリアに対するスキャニングに対するスキャン応答（ＳＣＮ−ＲＳＰ；ｓｃａｎ  ｒｅｓｐｏｎｓｅ）メッセージを前記基地局から受信することと、
前記不活性割当２次キャリアに対するスキャニングを実行することと、
前記トリガ条件が満たされる場合、前記実行されたスキャニングの結果を前記基地局に報告することと
を含む、方法。
【請求項２】
前記実行されたスキャニングの結果は、スキャンリポート（ＳＣＮ−ＲＥＰ；ｓｃａｎ  ｒｅｐｏｒｔ）メッセージを介して前記基地局に送信される、請求項１に記載の方法。
【請求項３】
前記トリガ制御情報は、キャリア活性化特定トリガフィールド（ｃａｒｒｉｅｒ  ａｃｔｉｖａｔｉｏｎ  ｓｐｅｃｉｆｉｃ  ｔｒｉｇｇｅｒ  ｆｉｅｌｄ）である、請求項１に記載の方法。
【請求項４】
前記トリガ制御情報は、キャリア対干渉及び雑音比（ＣＩＮＲ；ｃａｒｒｉｅｒ  ｔｏ  ｉｎｔｅｒｆｅｒｅｎｃｅ  ａｎｄ  ｎｏｉｓｅ  ｒａｔｉｏ）又は受信信号強度インジケータ（ＲＳＳＩ；ｒｅｃｅｉｖｅｄ  ｓｉｇｎａｌ  ｓｔｒｅｎｇｔｈ  ｉｎｄｉｃａｔｏｒ）として定義されるトリガタイプフィールド（ｔｒｉｇｇｅｒ  ｔｙｐｅ  ｆｉｅｌｄ）をさらに含む、請求項１に記載の方法。
【請求項５】
前記トリガ制御情報は、前記トリガ条件を定義する計算方法（ｃｏｍｐｕｔａｔｉｏｎ  ｍｅｔｈｏｄ）であるトリガ機能フィールド（ｔｒｉｇｇｅｒ  ｆｕｎｃｔｉｏｎ  ｆｉｅｌｄ）をさらに含む、請求項１に記載の方法。
【請求項６】
前記トリガ条件は、前記不活性割当２次キャリアをスキャニングして測定されたメトリック（ｍｅｔｒｉｃ）が閾値（ｔｈｒｅｓｈｏｌｄ）より大きい時、又は活性（ａｃｔｉｖｅ）割当２次キャリアをスキャニングして測定されたメトリックが閾値より小さい時に生じる、請求項４に記載の方法。
【請求項７】
前記基地局から２次キャリアの少なくとも活性化又は不活性化を指示するキャリア管理命令（ＣＭ−ＣＭＤ；ｃａｒｒｉｅｒ  ｍａｎａｇｅｍｅｎｔ  ｃｏｍｍａｎｄ）メッセージを受信することをさらに含む、請求項１に記載の方法。
【請求項８】
前記割当２次キャリアに対するスキャニング実行可否を指示するスキャニング要求インジケータ（ｓｃａｎｎｉｎｇ  ｒｅｑｕｉｒｅｄ  ｉｎｄｉｃａｔｏｒ）を含む第１のメッセージを前記基地局から受信することをさらに含む、請求項１に記載の方法。
【請求項９】
前記スキャニング要求インジケータの大きさは、１ビットである、請求項８に記載の方法。
【請求項１０】
前記第１のメッセージは、マルチキャリア応答（ＭＣ−ＲＳＰ；ｍｕｌｔｉｃａｒｒｉｅｒ  ｒｅｓｐｏｎｓｅ）メッセージ、マルチキャリア広告（ＭＣ−ＡＤＶ；ｍｕｌｔｉｃａｒｒｉｅｒ  ａｄｖｅｒｔｉｓｅｍｅｎｔ）メッセージ、又は隣接広告（ＮＢＲ−ＡＤＶ；ｎｅｉｇｈｂｏｒ  ａｄｖｅｒｔｉｓｅｍｅｎｔ）メッセージのうちいずれか一つである、請求項８に記載の方法。
【請求項１１】
前記スキャニング実行可否は、前記割当２次キャリアのカバレッジ（ｃｏｖｅｒａｇｅ）に基づいて決定される、請求項８に記載の方法。
【請求項１２】
マルチキャリアシステムにおける割当キャリア（ａｓｓｉｇｎｅｄ  ｃａｒｒｉｅｒ）のスキャニング実行のための端末であって、
無線を送受信するように構成されるＲＦ（ｒａｄｉｏ  ｆｒｅｑｕｅｎｃｙ）部と、
前記ＲＦ部を制御して、
不活性割当２次キャリア（ｉｎａｃｔｉｖｅ  ａｓｓｉｇｎｅｄ  ｓｅｃｏｎｄａｒｙ  ｃａｒｒｉｅｒ）のスキャニング報告（ｓｃａｎ  ｒｅｐｏｒｔｉｎｇ）のためのトリガ条件（ｔｒｉｇｇｅｒ  ｃｏｎｄｉｔｉｏｎ）を含むトリガ制御情報（ｔｒｉｇｇｅｒ  ｃｏｎｔｒｏｌ  ｉｎｆｏｒｍａｔｉｏｎ）を含むマルチキャリア広告メッセージ（ｍｕｌｔｉｃａｒｒｉｅｒ  ａｄｖｅｒｔｉｓｅｍｅｎｔ  ｍｅｓｓａｇｅ）を基地局から受信することと、
前記不活性割当２次キャリアに対するスキャニングに対するスキャン応答（ＳＣＮ−ＲＳＰ；ｓｃａｎ  ｒｅｓｐｏｎｓｅ）メッセージを前記基地局から受信することと、
前記不活性割当２次キャリアに対するスキャニングを実行することと、
前記トリガ条件が満たされる場合、前記実行されたスキャニングの結果を前記基地局に報告するように前記ＲＦ部を制御することと
を実行するように構成される制御部（ｃｏｎｔｒｏｌｌｅｒ）と
を含む、端末。
【請求項１３】
前記スキャニングの結果は、スキャンリポート（ＳＣＮ−ＲＥＰ；ｓｃａｎ  ｒｅｐｏｒｔ）メッセージを介して前記基地局に送信される、請求項１２に記載の端末。
【請求項１４】
前記トリガ制御情報は、キャリア対干渉及び雑音比（ＣＩＮＲ；ｃａｒｒｉｅｒ  ｔｏ  ｉｎｔｅｒｆｅｒｅｎｃｅ  ａｎｄ  ｎｏｉｓｅ  ｒａｔｉｏ）又は受信信号強度インジケータ（ＲＳＳＩ；ｒｅｃｅｉｖｅｄ  ｓｉｇｎａｌ  ｓｔｒｅｎｇｔｈ  ｉｎｄｉｃａｔｏｒ）として定義されるトリガタイプフィールド（ｔｒｉｇｇｅｒ  ｔｙｐｅ  ｆｉｅｌｄ）をさらに含む、請求項１２に記載の端末。
【請求項１５】
前記トリガ制御情報は、前記トリガ条件を定義する計算方法（ｃｏｍｐｕｔａｔｉｏｎ  ｍｅｔｈｏｄ）であるトリガ機能フィールド（ｔｒｉｇｇｅｒ  ｆｕｎｃｔｉｏｎ  ｆｉｅｌｄ）をさらに含む、請求項１２に記載の端末。
【請求項１６】
前記制御部は、前記不活性割当２次キャリアをスキャニングして測定されたメトリック（ｍｅｔｒｉｃ）が閾値（ｔｈｒｅｓｈｏｌｄ）より大きい時、又は活性（ａｃｔｉｖｅ）割当２次キャリアをスキャニングして測定されたメトリックが閾値より小さい時、前記スキャニングの結果を前記基地局に報告するように前記ＲＦ部を制御するようにさらに構成される、請求項１４に記載の端末。
【発明の詳細な説明】
【技術分野】
【０００１】
本発明は、スキャニング実行方法及び装置に関し、特に、基地局に属する割当２次キャリアに対するスキャニング実行方法及び装置に関する。
【背景技術】
【０００２】
以下、キャリア（Ｃａｒｒｉｅｒ）に対して簡略に説明する。
【０００３】
ユーザは、正弦波又は周期的なパルス波の振幅、周波数及び／又は位相などに変調操作をして送信しようとする情報を含むことができる。この時、情報を運搬する役割をする正弦波又はパルス波をキャリアという。
【０００４】
キャリアを変調する方式には、シングルキャリア変調方式（ＳＣＭ；Ｓｉｎｇｌｅ−Ｃａｒｒｉｅｒ  Ｍｏｄｕｌａｒｔｉｏｎ  ｓｃｈｅｍｅ）又はマルチキャリア（ＭＣＭ；Ｍｕｌｔｉ−Ｃａｒｒｉｅｒ  Ｍｏｄｕｌａｔｉｏｎ  ｓｃｈｅｍｅ）変調方式がある。このうち、シングルキャリア変調方式は、一つのキャリアに全ての情報を載せて変調する変調方式である。
【０００５】
マルチキャリア変調方式は、一つのキャリアの全体帯域幅チャネル（Ｃｈａｎｎｅｌ）を複数個の小さい帯域幅を有するサブチャネル（Ｓｕｂ−ｃｈａｎｎｅｌ）に分割し、複数の狭帯域サブキャリア（Ｓｕｂ−Ｃａｒｒｉｅｒ）を各サブチャネルを介して多重に送信する技術である。
【０００６】
この時、マルチキャリア変調方式（ＭＣＭ）を用いる時、各サブチャネルは小さい帯域幅のため平坦な特性（Ｆｌａｔ  Ｃｈａｎｎｅｌ）に近似化されることができる。また、ユーザは、簡単な等化器を使用してチャネルの歪曲を補償することができる。また、マルチキャリア変調方式は、高速フーリエ変換（ＦＦＴ）を用いて高速具現が可能である。即ち、シングルキャリア変調方式（ＳＣＭ）に比べて高速のデータ送信に有利である。
【０００７】
基地局及び／又は端末機の性能が発展するにつれて、基地局及び／又は端末機で提供したり使用することができる周波数帯域幅は拡大されている。従って、本発明の実施例では、一つ以上のキャリアを束ねて使用する（Ｃａｒｒｉｅｒ  ａｇｇｒｅｇａｔｉｏｎ）ことで広帯域をサポートするマルチキャリアシステムを開示している。
【０００８】
即ち、以下で説明するマルチキャリアシステムは、前述した一つのキャリアを分けて使用するマルチキャリア変調方式とは違って、一つ以上のキャリアを束ねて使用する場合を示す。
【０００９】
マルチバンド（Ｍｕｌｔｉ−Ｂａｎｄ；又は、マルチキャリア（Ｍｕｌｔｉ−Ｃａｒｒｉｅｒ））を効率的に使用するために、複数個のキャリア（例えば、複数個の周波数キャリア（ＦＣ；Ｆｒｅｑｕｅｎｃｙ  Ｃａｒｒｉｅｒ））を一つの媒体接続制御（ＭＡＣ）エンティティが管理する技術が提案されてきた。
【００１０】
図１の（ａ）及び（ｂ）は、マルチバンド無線周波数（ＲＦ；Ｒａｄｉｏ  Ｆｒｅｑｕｅｎｃｙ）ベースの信号送受信方法を説明するための図面である。
【００１１】
図１において、送信端及び受信端で一つの媒体接続制御階層は、マルチキャリアを効率的に使用するために複数個のキャリアを管理することができる。この時、マルチキャリアを効果的に送受信するために、送信端及び受信端の両方ともマルチキャリアを送受信することができると仮定する。この時、一つの媒体接続制御階層で管理される周波数キャリア（ＦＣ；Ｆｒｅｑｕｅｎｃｙ  Ｃａｒｒｉｅｒ）は、互いに隣接する必要がないためリソース管理側面で柔軟である。即ち、連続キャリア集合（Ｃｏｎｔｉｇｕｏｕｓ  Ａｇｇｒｅｇａｔｉｏｎ）又は不連続キャリア集合（Ｎｏｎ−ｃｏｎｔｉｇｕｏｕｓ  Ａｇｇｒｅｇａｔｉｏｎ）の両方とも可能である。
【００１２】
図１の（ａ）及び（ｂ）において、物理階層（ＰＨＹ）０，物理階層１，．．．，物理階層ｎ−２，物理階層ｎ−１は、マルチバンドを示し、各々の帯域は、予め決まった周波数政策によって特定サービスのために割り当てる周波数キャリア（ＦＣ）の大きさを有することができる。例えば、物理階層０（ＲＦ  ｃａｒｒｉｅｒ  ０）は一般ＦＭラジオ放送のために割り当てる周波数帯域の大きさを有することができ、物理階層１（ＲＦ  ｃａｒｒｉｅｒ  １）は携帯電話通信のために割り当てる周波数帯域の大きさを有することができる。
【００１３】
このように各々の周波数帯域は、各々の周波数帯域特性によって互いに異なる周波数帯域の大きさを有することができるが、以下では説明の便宜上各周波数キャリア（ＦＣ）はＡ［ＭＨｚ］大きさを有すると仮定する。また、各々の周波数割当帯域はベースバンド信号を各周波数帯域で用いるためのキャリア周波数として代表されることができ、以下、各周波数割当帯域を“キャリア周波数帯域”と呼び、或いは混同のない場合には各キャリア周波数帯域を代表して単に“キャリア”と呼ぶ。
【００１４】
また、最近３ＧＰＰ  ＬＴＥ−Ａと同様に前述したキャリアをマルチキャリア方式で用いられるサブキャリア（ｓｕｂｃａｒｒｉｅｒ）と区分するために“コンポーネントキャリア（ｃｏｍｐｏｎｅｎｔ  ｃａｒｒｉｅｒ）”と呼ぶ。
【００１５】
このような側面で前述した“マルチバンド”方式は、“マルチキャリア（Ｍｕｌｔｉ  Ｃａｒｒｉｅｒ）”方式又は“キャリア集合（ｃａｒｒｉｅｒ  ａｇｇｒｅｇａｔｉｏｎ）”方式とも呼ばれる。
【００１６】
図２は、一般的な無線通信システムにおける多重キャリアが用いられる形態の一例を示す。
【００１７】
図２の（ａ）を参照すると、一般的技術での多重キャリアは、連続キャリア集合（ｃｏｎｔｉｇｕｏｕｓ  ｃａｒｒｉｅｒ  ａｇｇｒｅｇａｔｉｏｎ）、或いは図２の（ｂ）のように不連続キャリア集合（ｎｏｎ−ｃｏｎｔｉｇｕｏｕｓ  ｃａｒｒｉｅｒ  ａｇｇｒｅｇａｔｉｏｎ）である。このようなキャリアを結合する単位は一般的技術であるレガシシステム（例えば、ＬＴＥ（Ｌｏｎｇ  Ｔｅｒｍ  Ｅｖｏｌｕｔｉｏｎ）−ａｄｖａｎｃｅｄシステムの場合にはＬＴＥ、ＩＥＥＥ８０２．１６ｍシステムの場合にはＩＥＥＥ８０２．１６ｅ）の基本帯域幅単位である。
【００１８】
一般的技術の多重キャリア環境では以下のような２つのタイプのキャリアを定義する。
【００１９】
まず、第１のキャリア（又は、１次キャリア（ｐｒｉｍａｒｙ  ｃａｒｒｉｅｒ））は、端末と基地局のトラフィック、完全な物理階層及び媒体接続制御階層の制御情報（ｆｕｌｌ  ＰＨＹ／ＭＡＣ  ｃｏｎｔｒｏｌ  ｉｎｆｏｒｍａｔｉｏｎ）の交換が実行されるキャリアを意味する。また、主キャリアは、ネットワーク進入のような端末の一般的動作にも使われることができる。各端末は、一つのセルで一つの主キャリアを有する。
【００２０】
また、第２のキャリア（又は、２次キャリア（ｓｅｃｏｎｄａｒｙ  ｃａｒｒｉｅｅｒ））は、普通第１のキャリアから受信される基地局特定の割当命令と法則によるトラフィックの交換に使われることができる付加的なキャリアを意味する。第２のキャリアは、マルチキャリア動作をサポートするための制御シグナリングを含むことができる。
【００２１】
一般的技術は、前述した１次及び２次キャリアに基づいてマルチキャリア（ｍｕｌｔｉ−ｃａｒｒｉｅｒ）システムのキャリアを以下のように完全構成キャリア（Ｆｕｌｌｙ  ｃｏｎｆｉｇｕｒｅｄ  ｃａｒｒｉｅｒ）と部分構成キャリア（Ｐａｒｔｉａｌｌｙ  ｃｏｎｆｉｇｕｒｅｄ  ｃａｒｒｉｅｒ）に区分することができる。
【００２２】
完全構成キャリアは、制御シグナリングが設定されるキャリアを意味する。また、多重キャリア運用と他のキャリアに対する情報及びパラメータが前記制御チャネルに含まれることができる。
【００２３】
部分構成キャリアは、時分割二重化ダウンリンク送信（ＴＤＤ  ＤＬ  ｔｒａｎｓｍｉｓｓｉｏｎ）又は周波数分割二重化（ＦＤＤ）モードで、対として現れるアップリンクキャリアのないダウンリンクキャリアでダウンリンク送信をサポートするための全ての制御チャネルが設定されるキャリアを意味する。
【００２４】
一般的に、端末は、１次キャリアを介して初期ネットワーク進入（ｉｎｉｔｉａｌ  ｎｅｔｗｏｒｋ  ｅｎｔｒｙ）を実行し、基地局との登録要求／応答（ＡＡＩ＿ＲＥＧ−ＲＥＱ／ＲＳＰ）メッセージ交換を介する登録過程で相互間のマルチキャリア能力に対する情報を交換することができる。
【発明の概要】
【発明が解決しようとする課題】
【００２５】
本発明の目的は、マルチキャリアシステムで割当キャリアに対するスキャニング必要可否を指示するインジケータを端末に送信することによって、カバレッジが同じな割当キャリアに対する端末の不必要なスキャニング動作を防止するための方法を提供することである。
【００２６】
また、本発明の目的は、キャリア管理（一例に、２次キャリア活性化／１次キャリア変更）のためのトリガ条件定義及び前記定義されたトリガ条件送信方法を提供することである。
【００２７】
また、本発明の目的は、端末が不活性割当２次キャリアに対するスキャニングを実行し、スキャン結果を基地局に送信することによって、基地局の特定２次キャリアに対する活性化指示が失敗することを防止するための方法を提供することである。
【課題を解決するための手段】
【００２８】
本発明は、マルチキャリアシステムにおける割当キャリアのスキャニング実行方法において、割当２次キャリアのスキャン報告トリガ制御情報を含むマルチキャリア広告メッセージを基地局から受信するステップ；前記割当２次キャリアに対するスキャニングを実行するステップ；及び、前記スキャニング実行結果、測定された所定のメトリックが前記スキャン報告トリガ制御情報に設定された条件を満たす場合、前記スキャニング実行結果を前記基地局に報告するステップ；を含んで行われる。
【００２９】
また、前記スキャニング実行結果は、スキャンリポート（ＳＣＮ−ＲＥＰ）メッセージを介して前記基地局に送信されることを特徴とする。
【００３０】
また、前記所定のメトリックは、送信対干渉及び雑音比（ＣＩＮＲ）メトリック又は受信信号強度指示（ＲＳＳＩ）メトリックであることを特徴とする。
【００３１】
また、前記割当２次キャリア（ａｓｓｉｇｎｅｄ  ｓｅｃｏｎｄａｒｙ  ｃａｒｒｉｅｒ）は、不活性（ｉｎａｃｔｉｖｅ）又は活性（ａｃｔｉｖｅ）割当２次キャリアであることを特徴とする。
【００３２】
また、前記スキャニング実行結果は、前記不活性割当２次キャリアのスキャニング実行結果、測定されたメトリックが閾値より大きい、或いは前記活性割当２次キャリアのスキャニング実行結果、測定されたメトリックが閾値より少ない場合、前記基地局に報告されることを特徴とする。
【００３３】
また、前記スキャン報告トリガ制御情報は、割当２次キャリアのうち不活性２次キャリアに対するスキャニング結果を前記基地局に報告するためのトリガ条件を示すキャリア活性化特定トリガ（ＣＡ−ｓｐｅｃｉｆｉｃ  ｔｒｉｇｇｅｒ）フィールドであることを特徴とする。
【００３４】
また、前記基地局から割当２次キャリアに対するスキャニングを指示するためのスキャン応答（ＳＣＮ−ＲＳＰ）メッセージを受信するステップをさらに含んで行われることを特徴とする。
【００３５】
また、前記スキャン応答メッセージは、不活性割当２次キャリアの活性化が決定される場合、前記基地局から送信されることを特徴とする。
【００３６】
また、前記基地局から２次キャリアの活性化及び／又は不活性化を指示するキャリア運営（ＣＭ−ＣＭＤ）命令メッセージを受信するステップをさらに含むことを特徴とする。
【００３７】
また、前記割当２次キャリアに対するスキャニング実行可否を知らせるスキャニング要求インジケータを含む第１のメッセージを前記基地局から受信するステップをさらに含むことを特徴とする。
【００３８】
また、前記スキャニング要求インジケータは、１ビット大きさであることを特徴とする。
【００３９】
また、前記第１のメッセージは、マルチキャリア応答（ＭＣ−ＲＳＰ）メッセージ、マルチキャリア広告（ＭＣ−ＡＤＶ）メッセージ、又は隣接広告（ＮＢＲ−ＡＤＶ）メッセージのうちいずれか一つであることを特徴とする。
【００４０】
また、前記スキャニング実行可否は、前記割当２次キャリアのカバレッジに基づいて決定されることを特徴とする。
【００４１】
また、本発明は、マルチキャリアシステムにおける割当キャリアのスキャニング実行のための端末において、外部と無線信号を送受信するための無線通信部；及び、割当２次キャリアのスキャン報告トリガ制御情報を含むマルチキャリア広告メッセージを基地局から受信するように前記無線通信部を制御し、前記割当２次キャリアに対するスキャニングを実行し、前記スキャニング実行結果、測定された所定のメトリックが前記スキャン報告トリガ制御情報に設定された条件を満たす場合、前記スキャニング実行結果を前記基地局に報告するように前記無線通信部を制御するための制御部；を含んで行われることを特徴とする。
【００４２】
また、前記制御部は、前記不活性割当２次キャリアのスキャニング実行結果、測定されたメトリックが閾値より大きい、或いは前記活性割当２次キャリアのスキャニング実行結果、測定されたメトリックが閾値より少ない場合、前記スキャニング実行結果を前記基地局に報告するように前記無線通信部を制御することを特徴とする。
【００４３】
また、制御部は、前記基地局から割当２次キャリアに対するスキャニングを指示するためのスキャン応答（ＳＣＮ−ＲＳＰ）メッセージを受信するように前記無線通信部を制御することを特徴とする。
本明細書は、例えば、以下の項目も提供する。
（項目１）
マルチキャリアシステムにおける割当キャリア（ａｓｓｉｇｎｅｄ  ｃａｒｒｉｅｒ）をスキャニングする方法において、
不活性割当２次キャリア（ｉｎａｃｔｉｖｅ  ａｓｓｉｇｎｅｄ  ｓｅｃｏｎｄａｒｙ  ｃａｒｒｉｅｒ）のスキャニング報告（ｓｃａｎ  ｒｅｐｏｒｔｉｎｇ）のためのトリガ条件（ｔｒｉｇｇｅｒ  ｃｏｎｄｉｔｉｏｎ）を含むトリガ制御情報（ｔｒｉｇｇｅｒ  ｃｏｎｔｒｏｌ  ｉｎｆｏｒｍａｔｉｏｎ）を含むマルチキャリア広告メッセージ（ｍｕｌｔｉｃａｒｒｉｅｒ  ａｄｖｅｒｔｉｓｅｍｅｎｔ  ｍｅｓｓａｇｅ）を基地局から受信するステップ；
前記不活性割当２次キャリアに対するスキャニングを実行するステップ；及び、
前記トリガ条件が満たされる場合、前記実行されたスキャニング結果を前記基地局に報告するステップ；を含む方法。
（項目２）
前記実行されたスキャニング結果は、スキャンリポート（ＳＣＮ−ＲＥＰ；ｓｃａｎ  ｒｅｐｏｒｔ）メッセージを介して前記基地局に送信されることを特徴とする項目１に記載の方法。
（項目３）
前記トリガ制御情報は、キャリア活性化特定トリガフィールド（ｃａｒｒｉｅｒ  ａｃｔｉｖａｔｉｏｎ  ｓｐｅｃｉｆｉｃ  ｔｒｉｇｇｅｒ  ｆｉｅｌｄ）であることを特徴とする項目１に記載の方法。
（項目４）
前記トリガ制御情報は、キャリア対干渉及び雑音比（ＣＩＮＲ；ｃａｒｒｉｅｒ  ｔｏ  ｉｎｔｅｒｆｅｒｅｎｃｅ  ａｎｄ  ｎｏｉｓｅ  ｒａｔｉｏ）又は受信信号強度インジケータ（ＲＳＳＩ；ｒｅｃｅｉｖｅｄ  ｓｉｇｎａｌ  ｓｔｒｅｎｇｔｈ  ｉｎｄｉｃａｔｏｒ）として定義されるトリガタイプフィールド（ｔｒｉｇｇｅｒ  ｔｙｐｅ  ｆｉｅｌｄ）をさらに含むことを特徴とする項目１に記載の方法。
（項目５）
前記トリガ制御情報は、前記スキャニング報告のためのトリガ条件を定義する計算方法（ｃｏｍｐｕｔａｔｉｏｎ  ｍｅｔｈｏｄ）であるトリガ機能フィールド（ｔｒｉｇｇｅｒ  ｆｕｎｃｔｉｏｎ  ｆｉｅｌｄ）をさらに含むことを特徴とする項目１に記載の方法。
（項目６）
前記トリガ条件は、前記不活性割当２次キャリアをスキャニングして測定されたメトリック（ｍｅｔｒｉｃ）が閾値（ｔｈｒｅｓｈｏｌｄ）より大きい時、又は活性（ａｃｔｉｖｅ）割当２次キャリアをスキャニングして測定されたメトリックが閾値より小さい時であることを特徴とする項目４に記載の方法。
（項目７）
前記基地局から前記不活性割当２次キャリアに対するスキャニングを指示するスキャン応答（ＳＣＮ−ＲＳＰ；ｓｃａｎ  ｒｅｓｐｏｎｓｅ）メッセージを受信するステップをさらに含む項目１に記載の方法。
（項目８）
前記スキャン応答メッセージは、前記不活性割当２次キャリアの活性化が決定される時、前記基地局から送信されることを特徴とする項目７に記載の方法。
（項目９）
前記基地局から２次キャリアの活性化及び／又は不活性化を指示するキャリア管理命令（ＣＭ−ＣＭＤ；ｃａｒｒｉｅｒ  ｍａｎａｇｅｍｅｎｔ  ｃｏｍｍａｎｄ）メッセージを受信するステップをさらに含む項目１に記載の方法。
（項目１０）
前記割当２次キャリアに対するスキャニング実行可否を指示するスキャニング要求インジケータ（ｓｃａｎｎｉｎｇ  ｒｅｑｕｉｒｅｄ  ｉｎｄｉｃａｔｏｒ）を含む第１のメッセージを前記基地局から受信するステップをさらに含む項目１に記載の方法。
（項目１１）
前記スキャニング要求インジケータの大きさは、１ビットであることを特徴とする項目１０に記載の方法。
（項目１２）
前記第１のメッセージは、マルチキャリア応答（ＭＣ−ＲＳＰ；ｍｕｌｔｉｃａｒｒｉｅｒ  ｒｅｓｐｏｎｓｅ）メッセージ、マルチキャリア広告（ＭＣ−ＡＤＶ；ｍｕｌｔｉｃａｒｒｉｅｒ  ａｄｖｅｒｔｉｓｅｍｅｎｔ）メッセージ、又は隣接広告（ＮＢＲ−ＡＤＶ；ｎｅｉｇｈｂｏｒ  ａｄｖｅｒｔｉｓｅｍｅｎｔ）メッセージのうちいずれか一つであることを特徴とする項目１０に記載の方法。
（項目１３）
前記スキャニング実行可否は、前記割当２次キャリアのカバレッジ（ｃｏｖｅｒａｇｅ）に基づいて決定されることを特徴とする項目１０に記載の方法。
（項目１４）
マルチキャリアシステムにおける割当キャリア（ａｓｓｉｇｎｅｄ  ｃａｒｒｉｅｒ）のスキャニング実行のための端末において、
外部と無線信号を送受信するためのＲＦ（ｒａｄｉｏ  ｆｒｅｑｕｅｎｃｙ）部；及び、
不活性割当２次キャリア（ｉｎａｃｔｉｖｅ  ａｓｓｉｇｎｅｄ  ｓｅｃｏｎｄａｒｙ  ｃａｒｒｉｅｒ）のスキャニング報告（ｓｃａｎ  ｒｅｐｏｒｔｉｎｇ）のためのトリガ条件（ｔｒｉｇｇｅｒ  ｃｏｎｄｉｔｉｏｎ）を含むトリガ制御情報（ｔｒｉｇｇｅｒ  ｃｏｎｔｒｏｌ  ｉｎｆｏｒｍａｔｉｏｎ）を含むマルチキャリア広告メッセージ（ｍｕｌｔｉｃａｒｒｉｅｒ  ａｄｖｅｒｔｉｓｅｍｅｎｔ  ｍｅｓｓａｇｅ）を基地局から受信するために前記ＲＦ部を制御するように構成され、前記不活性割当２次キャリアに対するスキャニングを実行するように構成され、前記トリガ条件が満たされる場合、前記実行されたスキャニング結果を前記基地局に報告するために前記ＲＦ部を制御するように構成される制御部（ｃｏｎｔｒｏｌｌｅｒ）；を含む端末。
（項目１５）
前記実行されたスキャニング結果は、スキャンリポート（ＳＣＮ−ＲＥＰ；ｓｃａｎ  ｒｅｐｏｒｔ）メッセージを介して前記基地局に送信されることを特徴とする項目１４に記載の端末。
（項目１６）
前記トリガ制御情報は、キャリア対干渉及び雑音比（ＣＩＮＲ；ｃａｒｒｉｅｒ  ｔｏ  ｉｎｔｅｒｆｅｒｅｎｃｅ  ａｎｄ  ｎｏｉｓｅ  ｒａｔｉｏ）又は受信信号強度インジケータ（ＲＳＳＩ；ｒｅｃｅｉｖｅｄ  ｓｉｇｎａｌ  ｓｔｒｅｎｇｔｈ  ｉｎｄｉｃａｔｏｒ）として定義されるトリガタイプフィールド（ｔｒｉｇｇｅｒ  ｔｙｐｅ  ｆｉｅｌｄ）をさらに含むことを特徴とする項目１４に記載の端末。
（項目１７）
前記トリガ制御情報は、前記スキャニング報告のためのトリガ条件を定義する計算方法（ｃｏｍｐｕｔａｔｉｏｎ  ｍｅｔｈｏｄ）であるトリガ機能フィールド（ｔｒｉｇｇｅｒ  ｆｕｎｃｔｉｏｎ  ｆｉｅｌｄ）をさらに含むことを特徴とする項目１４に記載の端末。
（項目１８）
前記制御部は、前記不活性割当２次キャリアをスキャニングして測定されたメトリック（ｍｅｔｒｉｃ）が閾値（ｔｈｒｅｓｈｏｌｄ）より大きい時、又は活性（ａｃｔｉｖｅ）割当２次キャリアをスキャニングして測定されたメトリックが閾値より小さい時、前記実行されたスキャニング結果を前記基地局に報告するために前記ＲＦ部を制御することを特徴とする項目１６に記載の端末。
（項目１９）
前記制御部は、前記基地局から前記不活性割当２次キャリアに対するスキャニングを指示するスキャン応答（ＳＣＮ−ＲＳＰ；ｓｃａｎ  ｒｅｓｐｏｎｓｅ）メッセージを受信するために前記ＲＦ部を制御することを特徴とする項目１４に記載の端末。
（項目２０）
前記スキャン応答メッセージは、前記不活性割当２次キャリアの活性化が決定される時、前記基地局から送信されることを特徴とする項目１９に記載の端末。
【発明の効果】
【００４４】
本発明は、マルチキャリアシステムにおける割当キャリアに対するスキャニング必要可否を指示するインジケータを端末に送信することによって、カバレッジが同じな割当キャリアに対して端末が不必要なスキャニングを実行しないようになる効果がある。
【００４５】
また、本発明は、端末が不活性割当２次キャリアに対するスキャニングを実行し、スキャン結果を基地局に送信することによって、基地局の特定２次キャリアに対する活性化指示が失敗することを防止することができる効果がある。
【図面の簡単な説明】
【００４６】
【図１】マルチバンド無線周波数（ＲＦ；Ｒａｄｉｏ  Ｆｒｅｑｕｅｎｃｙ）ベースの信号送受信方法を説明するための図面である。
【図２】一般的な無線通信システムにおける多重キャリアが用いられる形態の一例を示す。
【図３】広帯域無線接続システムにおける基地局がキャリア管理（運営）メッセージ（ＡＡＩ＿ＣＭ−ＣＭＤ  ｍｅｓｓａｇｅ）を介して、端末に一つ以上のキャリアを割り当てる手順の一例を説明するための図面である。
【図４】図４（ａ）は、任意の基地局に属するマルチキャリアのカバレッジが同じである場合を示し、図４（ｂ）は、任意の基地局に属するマルチキャリアのカバレッジが同じでない場合を示す。
【図５】本発明の第１の実施例によるスキャニング要求インジケータを用いてスキャニング動作方法を示すフローチャートである。
【図６】本発明の第１の実施例による他の一例に、スキャニング要求インジケータ及びキャリア活性化特定トリガ条件を用いてスキャニング動作方法を示すフローチャートである。
【図７】第２の実施例のトリガ条件１による端末がセル中心に移動する場合、スキャニング及びスキャン報告のためのトリガ値を示す。
【図８】第２の実施例のトリガ条件２による端末がセル中心から離れる方向に移動する場合、スキャニング及び報告のためのトリガ値を示す。
【図９】本発明の第３の実施例によるマルチキャリア特定トリガ条件を介して、割当２次キャリアのスキャニング結果を報告する方法を示すフローチャートである。
【図１０】本発明の一実施例による無線通信システムを示すブロック図である。
【発明を実施するための形態】
【００４７】
以下、本発明による実施例を添付図面を参照して詳細に説明する。以下の説明では本発明による動作を理解するときに必要な部分のみが説明され、その以外の部分の説明は、本発明の要旨を不明にしないように省略されることを留意すべきである。
【００４８】
以下の実施例は、本発明の構成要素と特徴が所定形態に結合されたものである。各構成要素又は特徴は、別途の明示的言及のない限り選択的に考慮されなければならない。各構成要素又は特徴は、他の構成要素や特徴と結合されない形態に実施されることができる。また、一部構成要素及び／又は特徴を結合して本発明の実施例を構成することも可能である。本発明の実施例で説明される動作の順序は変更されることができる。ある実施例の一部構成や特徴は、他の実施例に含まれることができ、又は他の実施例の対応する構成又は特徴と交替可能である。
【００４９】
本発明での実施例は、基地局と端末との間のデータ送受信関係を中心に説明された。ここで、基地局は、端末と直接的に通信を実行するネットワークの終端ノード（ｔｅｒｍｉｎａｌ  ｎｏｄｅ）としての意味を有する。本発明で基地局により実行されると説明された特定動作は、場合によっては基地局の上位ノード（ｕｐｐｅｒ  ｎｏｄｅ）により実行されることもできる。
【００５０】
即ち、基地局を含む複数のネットワークノード（ｎｅｔｗｏｒｋ  ｎｏｄｅｓ）からなるネットワークで端末との通信のために実行される多様な動作は、基地局又は基地局以外の他のネットワークノードにより実行可能であることは自明である。‘基地局’は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語に代替されることができる。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替されることができる。
【００５１】
本発明の実施例は、多様な手段を介して具現されることができる。例えば、本発明の実施例は、ハードウェア、ファームウェア（ｆｉｒｍｗａｒｅ）、ソフトウェア、又はそれらの結合などにより具現されることができる。
【００５２】
ハードウェアによる具現の場合、本発明の実施例による方法は、一つ又はその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現されることができる。
【００５３】
ファームウェアやソフトウェアによる具現の場合、本発明の実施例による方法は、以上で説明された機能又は動作を実行するモジュール、手順又は関数などの形態に具現されることができる。ソフトウェアコードは、メモリユニットに格納されてプロセッサにより駆動されることができる。前記メモリユニットは、前記プロセッサの内部又は外部に位置し、既に公知された多様な手段により前記プロセッサとデータを送受信することができる。
【００５４】
以下の説明で使われる特定用語は、本発明の理解のために提供されたものであり、このような特定用語の使用は、本発明の技術的思想を外れない範囲で他の形態に変更されることができる。
【００５５】
マルチキャリア動作モード（Ｍｕｌｔｉｃａｒｒｉｅｒ  ｏｐｅｒａｔｉｏｎ  ｍｏｄｅｓ）
１．マルチキャリア接合（Ｍｕｌｔｉｃａｒｒｉｒ  Ａｇｇｒｅｇａｔｉｏｎ）
マルチキャリア接合（Ｍｕｌｔｉｃａｒｒｉｒ  Ａｇｇｒｅｇａｔｉｏｎ）は、端末が２次キャリアを介してデータ送信を実行している中、端末の物理階層連結（ｐｈｙｓｉｃａｌ  ｌａｙｅｒ  ｃｏｎｎｅｃｔｉｏｎ）を維持し、１次キャリアを介して制御シグナリング（ｃｏｎｔｒｏｌ  ｓｉｇｎａｌｉｎｇ）をモニタリングするマルチキャリアモード（ｍｕｌｔｉｃａｒｒｉｅｒ  ｍｏｄｅ）を意味する。
【００５６】
２．マルチキャリアスイッチング（Ｍｕｌｔｉｃａｒｒｉｅｒ  Ｓｗｉｔｃｈｉｎｇ）
マルチキャリアスイッチング（Ｍｕｌｔｉｃａｒｒｉｅｒ  Ｓｗｉｔｃｈｉｎｇ）は、２次キャリアを介してＥ−ＭＢＳサービスを受信するために、基地局の指示により１次キャリアで部分構成された又は完全構成された２次キャリアに端末の物理階層連結（ｐｈｙｓｉｃａｌ  ｌａｙｅｒ  ｃｏｎｎｅｃｔｉｏｎ）をスイッチングするマルチキャリアモードを意味する。
【００５７】
３．基本マルチキャリアモード（Ｂａｓｉｃ  ＭＣ  ｍｏｄｅ）
基本マルチキャリアモード（Ｂａｓｉｃ  ＭＣ  ｍｏｄｅ）は、端末がマルチキャリア動作と関連したキャリアの最適化されたスキャニングだけでなく、１次キャリア変更過程をサポートするが、単にシングルキャリアで動作するモードを意味する。
【００５８】
以下、マルチキャリア動作で使われることができる用語を定義する。
【００５９】
１．可用キャリア（Ａｖａｉｌａｂｌｅ  ｃａｒｒｉｅｒ）：可用キャリアは、基地局（ＡＢＳ）に属する全てのキャリアを意味する。端末は、可用キャリアに対する情報をグローバルキャリア設定（ＡＡＩ＿Ｇｌｏｂａｌ−ｃｏｎｆｉｇ）メッセージ又はマルチキャリア公知（ＡＡＩ＿ＭＣ−ＡＤＶ）メッセージを介して獲得することができる。
【００６０】
２．割当キャリア（Ａｓｓｉｇｎｅｄ  ｃａｒｒｉｅｒ）：割当キャリアは、端末の能力（ｃａｐａｂｉｌｉｔｙ）によって基地局が端末に割り当てる可用キャリアのサブセット（ｓｕｂｓｅｔ）を意味する。即ち、基地局は、端末の能力を考慮し、基地局の可用キャリアのうち一つ以上を端末の割当２次キャリアキャリア（Ａｓｓｉｇｎｅｄ  ｓｅｃｏｎｄａｒｙ  ｃａｒｒｉｅｒ）として割り当てることができる。
【００６１】
３．活性キャリア（Ａｃｔｉｖｅ  ｃａｒｒｉｅｒ）：活性キャリアは、端末と基地局との間に実際にデータを交換する準備ができたキャリアを意味し、割当キャリアのサブセット（ｓｕｂｓｅｔ）である。割当２次キャリアの活性化／不活性化（ａｃｔｉｖａｔｉｏｎ／ｄｅａｃｔｉｖａｔｉｏｎ）は、サービス品質（ＱｏＳ）要求に基づく基地局の判断により決定されることができる。基地局は、特定２次キャリアに対する活性化／不活性化可否を端末にキャリア管理（運営）命令（ＡＡＩ＿ＣＭ−ＣＭＤ）メッセージを介して指示することができる。
【００６２】
前述した定義に基づき、以下では基地局が端末にキャリアを割り当てる手順に対して図３を参照して説明する。
【００６３】
図３は、広帯域無線接続システムにおける基地局がキャリア管理（運営）メッセージ（ＡＡＩ＿ＣＭ−ＣＭＤ  ｍｅｓｓａｇｅ）を介して、端末に一つ以上のキャリアを割り当てる手順の一例を説明するための図面である。
【００６４】
図３を参照すると、端末（ＡＭＳ）は、基地局（ＡＢＳ）とスキャニング、レンジングなどの過程を含む初期ネットワーク進入（ｉｎｉｔｉａｌ  ｎｅｔｗｏｒｋ  ｅｎｔｒｙ）を実行する（Ｓ３０１）。
【００６５】
端末と基地局は、登録要求／応答（ＡＡＩ＿ＲＥＧ−ＲＥＱ／ＲＳＰ）メッセージを介して相互間のマルチキャリア能力（Ｍｕｌｔｉｃａｒｒｉｅｒ  Ｃａｐａｂｉｌｉｔｉｅｓ）に対する情報を交換することができる（Ｓ３０２、Ｓ３０３）。
【００６６】
基地局は、端末にＡＡＩ＿ＲＥＧ−ＲＳＰメッセージを送信した後、グローバルキャリア設定（ＡＡＩ＿Ｇｌｏｂａｌ−ｃｏｎｆｉｇ）メッセージを送信することができる（Ｓ３０４）。グローバルキャリア設定メッセージにはネットワークでサポートする全ての可用キャリアに対する情報が含まれる。
【００６７】
また、端末は、基地局から周期的に放送されるマルチキャリア公示（又は広告）（ＡＡＩ＿ＭＣ−ＡＤＶ）メッセージを受信して基地局のマルチキャリア設定に関する情報を獲得することができる（Ｓ３０５）。
【００６８】
以後、端末は、獲得した情報を用いて基地局の可用キャリアのマルチキャリア設定（ｍｕｌｔｉｃａｒｒｉｅｒ  ｃｏｎｆｉｇｕｒａｔｉｏｎｓ）によって端末がサポートすることができるキャリア（ＡＭＳ′ｓ  ｓｕｐｐｏｒｔａｂｌｅ  ｃａｒｒｉｅｒｓ）に対する情報をマルチキャリア要求（ＡＡＩ＿ＭＣ−ＲＥＱ）メッセージを介して基地局に知らせる方法により割当キャリアのリストを基地局に要求することができる（Ｓ３０６）。
【００６９】
基地局は、端末から受信した情報に基づいて基地局の可用キャリアで端末の２次キャリアに割り当てられるサブセットを決定して割当キャリアリストを決定し、マルチキャリア応答（ＡＡＩ＿ＭＣ−ＲＳＰ）メッセージを介してこれを端末に知らせることができる（Ｓ３０７）。
【００７０】
以後、基地局は、サービス品質（ＱｏＳ）要求に基づく判断によって端末に割り当てた割当キャリアの活性化／不活性化可否をキャリア管理命令（ＡＡＩ＿ＣＭ−ＣＭＤ）メッセージを介して端末に指示することができる（Ｓ３０８）。
【００７１】
以下、本発明は、マルチキャリアを用いて基地局と通信を実行する端末の不必要なスキャニング実行動作を防止し、基地局から割り当てられた２次キャリアのうち不活性キャリアに対するチャネル状態測定を介して基地局のキャリア活性化指示が失敗することを防止するための方法を提案する。
【００７２】
第１の実施例
第１の実施例は、端末の不必要なスキャニング実行を防止するために、基地局から割り当てられた２次キャリア（割当２次キャリア）に対するスキャニング必要性可否を知らせるインジケータ（Ｓｃａｎｎｉｎｇ  ｒｅｑｕｉｒｅｄ  ｉｎｄｉｃａｔｏｒ）を端末に送信する方法を提案する。
【００７３】
まず、従来のマルチキャリア動作は、サービング基地局（ｓｅｒｖｉｎｇ  ＡＢＳ）の割当キャリアに対するスキャニングが基地局の指示（ＡＡＩ＿ＳＣＮ−ＲＳＰメッセージ）により実行されたり、或いは端末が任意に実行可能ようにする。ここで、端末が任意に割当キャリアに対するスキャニングを実行した場合、前記スキャニング実行結果に対する報告（ｒｅｐｏｒｔｉｎｇ）は基地局の指示がある場合にのみ実行されることができる。
【００７４】
然しながら、マルチキャリアが配置されたセルが以下のような場合には端末が不必要にスキャニングを実行可能ようになる。
【００７５】
１．任意の基地局に属するマルチキャリアのカバレッジが同じである場合
２．任意の基地局に属するマルチキャリアのカバレッジが同じでない場合
図４の（ａ）は、任意の基地局に属するマルチキャリアのカバレッジが同じである場合を示して、図４の（ｂ）は、任意の基地局に属するマルチキャリアのカバレッジが同じでない場合を示す。
【００７６】
まず、図４の（ａ）に示すように、任意のＡＢＳに属する全てのキャリアのカバレッジが同じである場合、端末は、割当キャリア（ａｓｓｉｇｎｅｄ  ｃａｒｒｉｅｒ）に対するチャネル状態情報を測定するためのスキャニングを実行する必要がない。然しながら、従来には端末が任意にあるキャリアに対するスキャニングを実行することができるようにしているため、カバレッジが同じであるキャリアに対して不必要にスキャニングを実行する。
【００７７】
図４の（ｂ）に示すように、端末がネットワーク進入（又は再進入）（ｎｅｔｗｏｒｋ（ｒｅ）ｅｎｔｒｙ）時に基地局から割当を受けた割当２次キャリアが互いに異なるカバレッジを有する場合、基地局は、端末の位置を正確に把握することができず、不活性キャリア（ｉｎａｃｔｉｖｅ  ｃａｒｒｉｅｒ（ｓ））のチャネル状態を知らない場合、任意の不活性キャリアに対して活性化（ａｃｔｉｖａｔｉｏｎ）するように指示する。この場合、該当キャリアが既存の活性化されたキャリアより小さいカバレッジを有し、基地局が活性化を指示したキャリアのカバレッジに端末がない場合、基地局の該当キャリアに対する活性化は失敗することができる。
【００７８】
従って、任意の２次キャリアに対するＣＩＮＲのようなダウンリンクキャリア（ＤＬ  ｃａｒｒｉｅｒ）に対するチャネル状態情報は、活性キャリアだけでなく不活性キャリアに対しても測定され、前記測定された結果を基地局に送信することができるようにする必要がある。
【００７９】
スキャニング要求インジケータ（Ｓｃａｎｎｉｎｇ  ｒｅｑｕｉｒｅｄ  ｉｎｄｉｃａｔｏｒ）定義
スキャニング要求インジケータ又はスキャニング要求指示フィールドは、もし、該当キャリアが２次キャリアとして使われ、該当キャリアが不活性キャリアである場合、該当キャリアに対する（端末の任意的な）スキャニングが必要かどうかを知らせるために基地局から端末に送信される。また、前記スキャニング要求インジケータは、各キャリア当たり１ビット大きさを有することができる。
【００８０】
また、前記スキャニング要求インジケータ（ｓｃａｎｎｉｎｇ  ｒｅｑｕｉｒｅｄ  ｉｎｄｉｃａｔｏｒ）は、基地局が割当２次キャリアを端末に割り当てる時送信されることができる。一例に、ＡＡＩ＿ＭＣ−ＲＳＰメッセージに含まれて端末に送信されることができる。
【００８１】
ここで、基地局は、割当２次キャリアのスキャニング可否をキャリアのカバレッジに基づいて決定することができる。その理由は、各キャリアのカバレッジは、基地局が知っている情報であるため、この値を参照して端末に知らせることができる。
【００８２】
基地局は、スキャニング要求インジケータを介してスキャニングする必要がないと知らせたキャリアに対しては端末にスキャニング報告（ｓｃａｎｎｉｎｇ  ｒｅｐｏｒｔｉｎｇ）に対する要求無しに、キャリア管理（ｃａｒｒｉｅｒ  ｍａｎａｇｅｍｅｎｔ）のターゲットキャリアとして選択することができる。ここで、前記キャリア管理は、キャリア活性化、キャリア不活性化、又は１次キャリア変更などである。
【００８３】
基地局は、前記スキャニング要求インジケータを介してスキャニングが必要ないと知らせた割当２次キャリアに対するチャネル状態（ＣＩＮＲ、ＲＳＳＩ、ＲＴＤ…）情報を１次キャリア（ｐｒｉｍａｒｙ  ｃａｒｒｉｅｒ）のチャネル状態情報を参照して使用することができる。即ち、基地局は、スキャニングが必要ないと知らせた割当２次キャリアに対するチャネル状態情報を前記１次キャリアのチャネル状態情報と同じであると見なすことができる。
【００８４】
スキャニング要求インジケータ（ｓｃａｎｎｉｎｇ  ｒｅｑｕｉｒｅｄ  ｉｎｄｉｃａｔｏｒ）送信
以下、第１の実施例で定義したスキャニング要求インジケータ（ｓｃａｎｎｉｎｇ  ｒｅｑｕｉｒｅｄ  ｉｎｄｉｃａｔｏｒ）を含むＭＣ−ＲＳＰメッセージ、ＭＣ−ＡＤＶメッセージ、又はＮＢＲ−ＡＤＶメッセージフォーマットの一例を各々説明する。
【００８５】
（１）マルチキャリア応答メッセージ（ＡＡＩ＿ＭＣ−ＲＳＰｍｅｓｓａｇｅ）に含まれて送信
下記の表１は、スキャニング要求インジケータ（ｓｃａｎｎｉｎｇ  ｒｅｑｕｉｒｅｄ  ｉｎｄｉｃａｔｏｒ）がＡＡＩ＿ＭＣ−ＲＳＰメッセージに含まれる場合の一例を示す。
【００８６】
【表１】
0005572260.tif 000002
表１を参照すると、スキャニング要求インジケータフィールドは、割当キャリアが不活性キャリアである場合、キャリア管理のためにスキャニングを実行する必要があるかどうかに対して指示する。一例に、前記スキャニング要求インジケータフィールドが‘０ｂ０’に設定された場合、端末は、該当キャリアに対するスキャニングを実行する。また、‘０ｂ１’に設定された場合、端末は、基地局から指示がない場合には該当キャリアに対するスキャニングを実行しない。
【００８７】
下記の表２は、スキャニング要求インジケータフィールドが‘０ｂ１’に設定された場合、キャリア管理特定トリガ条件（ＣＡ−ｓｐｅｃｉｆｉｃ  ｔｒｉｇｇｅｒ  ｃｏｎｄｉｔｉｏｎ）フィールドがＭＣ−ＲＳＰメッセージに含まれた場合の一例を示す。
【００８８】
【表２】
0005572260.tif 000003
下記の表３は、スキャニング要求インジケータフィールドが‘０ｂ１’に設定された場合、キャリア管理特定トリガ条件フィールドがＭＣ−ＲＳＰメッセージに含まれた場合の他の一例を示す。
【００８９】
【表３】
0005572260.tif 000004
（２）マルチキャリア広告（又は公示）メッセージ（ＡＡＩ＿ＭＣ−ＡＤＶ  ｍｅｓｓａｇｅ）に含まれて送信
下記の表４は、スキャニング要求インジケータ（ｓｃａｎｎｉｎｇ  ｒｅｑｕｉｒｅｄ  ｉｎｄｉｃａｔｏｒ）がＡＡＩ＿ＭＣ−ＡＤＶ  ｍｅｓｓａｇｅに含まれた場合の一例を示す。
【００９０】
【表４】
0005572260.tif 000005
（３）隣接広告（又は公示）メッセージ（ＡＡＩ＿ＮＢＲ−ＡＤＶ  ｍｅｓｓａｇｅ）に含まれて送信
下記の表５は、スキャニング要求インジケータ（ｓｃａｎｎｉｎｇ  ｒｅｑｕｉｒｅｄ  ｉｎｄｉｃａｔｏｒ）がＡＡＩ＿ＮＢＲ−ＡＤＶ  ｍｅｓｓａｇｅに含まれた場合の一例を示す。
【００９１】
【表５】
0005572260.tif 000006
図５は、本発明の第１の実施例によるスキャニング要求インジケータを用いてスキャニング動作方法を示すフローチャートである。
【００９２】
図５を参照すると、基地局は、端末に特定キャリアに対するスキャニング必要可否を指示するスキャニング要求インジケータ（ｓｃａｎｎｉｎｇ  ｒｅｑｕｉｒｅｄ  ｉｎｄｉｃａｔｏｒ）を含むメッセージを送信する（Ｓ５０１）。
【００９３】
ここで、前記メッセージは、前述したように、ＭＣ−ＲＳＰメッセージ、ＭＣ−ＡＤＶメッセージ、又はＮＢＲ−ＡＤＶメッセージである。
【００９４】
前記スキャニング要求インジケータがＭＣ−ＲＳＰメッセージを介して送信される場合、基地局が割当２次キャリアを端末に割り当てる時、共にＭＣ−ＲＳＰメッセージに含まれて端末に送信される。
【００９５】
前記スキャニング要求インジケータ又はスキャニング要求指示フィールドは、前記特定キャリアが２次キャリアとして使われ、該当キャリアが不活性キャリアである場合、前記メッセージに含まれて送信されることができる。また、前記スキャニング要求インジケータは、各キャリア当たり１ビット大きさを有することができる。
【００９６】
以後、端末は、前記スキャニング要求インジケータが‘０ｂ１’に設定されたキャリアに対してのみスキャニングを実行する（Ｓ５０２）。
【００９７】
端末は、前記スキャニング実行結果を基地局にリポート（又は報告）するようになる（Ｓ５０３）。ここで、前記スキャニング実行結果は、スキャンリポートメッセージを介して前記基地局に送信されることができる。
【００９８】
図６は、本発明の第１の実施例による他の一例であり、スキャニング要求インジケータ及びキャリア活性化特定トリガ条件を用いてスキャニング動作方法を示すフローチャートである。
【００９９】
図６を参照すると、基地局は、端末に特定キャリアに対するスキャニング必要可否を指示するスキャニング要求インジケータ（ｓｃａｎｎｉｎｇ  ｒｅｑｕｉｒｅｄ  ｉｎｄｉｃａｔｏｒ）及びキャリア活性化特定トリガ条件を含むメッセージを送信する（Ｓ６０１）。
【０１００】
ここで、前記キャリア活性化特定トリガ条件は、前記スキャニング要求インジケータが一例に、‘０ｂ１’に設定された場合、前記メッセージに含まれて端末に送信される。ここで、前記メッセージは、前述したように、ＭＣ−ＲＳＰメッセージ、ＭＣ−ＡＤＶメッセージ、又はＮＢＲ−ＡＤＶメッセージである。
【０１０１】
端末は、前記スキャニング要求インジケータが‘０ｂ１’に設定されたキャリアから測定したチャネル状態情報（ＣＩＮＲ、ＲＳＳＩ、ＲＴＤ）のメトリックが前記キャリア活性化特定トリガ条件のスキャニング開始条件を満たす場合（Ｓ６０２）、端末は、前記該当キャリアに対するスキャニングを実行する（Ｓ６０３）。
【０１０２】
以後、端末は、前記スキャニング実行結果が前記マルチキャリア特定トリガ条件のスキャンリポート条件を満たして基地局にスキャン報告をトリガする場合（Ｓ６０４）、端末は、前記スキャニングを介して測定された送信対干渉及び雑音比（Ｃａｒｒｉｅｒ  ｔｏ  Ｉｎｔｅｒｆｅｒｅｎｃｅ  ａｎｄ  Ｎｏｉｓｅ  Ｒａｔｉｏ；ＣＩＮＲ）、受信信号強度指示（Ｒｅｃｅｉｖｅｄ  Ｓｉｇｎａｌ  Ｓｔｒｅｎｇｔｈ  Ｉｎｄｉｃａｔｉｏｎ；ＲＳＳＩ）、及び往復遅延時間（Ｒｏｕｎｄ  Ｔｒｉｐ  Ｄｅｌａｙ；ＲＴＤ）等（スキャニング実行結果）をスキャンリポート（ＳＣＮ−ＲＥＰ）メッセージを介して基地局に送信する（Ｓ６０５）。
【０１０３】
第２の実施例
本発明の第２の実施例は、キャリア管理（又は運営）のためのトリガ条件（一例に、マルチキャリア特定トリガ（ＭＣ−ｓｐｅｃｉｆｉｃ  ｔｒｉｇｇｅｒ））が新たに定義される場合、新たに定義されたマルチキャリア特定トリガのような値の有無によって該当キャリアのスキャニング有無を知らせる方法を提供する。
【０１０４】
即ち、第２の実施例は、キャリア管理のためのトリガ条件が新たに定義（一例に、ＭＣ−ｓｐｅｃｉｆｉｃ  ｔｒｉｇｇｅｒ又はＣＡ−ｓｐｅｃｉｆｉｃ  ｔｒｉｇｇｅｒ）され、この値がＡＡＩ＿ＭＣ−ＡＤＶ又はＡＡＩ＿ＮＢＲ−ＡＤＶのようなブロードキャストメッセージを介して送信される場合、参照キャリア（ｒｅｆｅｒｅｎｃｅ  ｃａｒｒｉｅｒ）と同じカバレッジを有することによって（又は、さまざまな他の理由に）スキャニングを省略することができるキャリアである場合、ブロードキャストメッセージで送信されなければならないＭＣ−ｓｐｅｃｉｆｉｃ  ｔｒｉｇｇｅｒのような値の有無によって該当キャリアのスキャニング有無を知らせることができる。
【０１０５】
ここで、前記参照信号は、マルチキャリア広告（ＡＡＩ＿ＭＣ−ＡＤＶ）メッセージ又は隣接広告（ＡＡＩ＿ＮＢＲ−ＡＤＶ）メッセージでの１番目のキャリアである。
【０１０６】
以下、前記キャリア管理（２次キャリア活性化）のために定義されたトリガ条件に対して説明する。
【０１０７】
１．２次キャリア活性化のためのスキャニングトリガ条件
本発明で提案するスキャニングトリガ（Ｓｃａｎｎｉｎｇ  ｔｒｉｇｇｅｒ）条件は、該当不活性キャリアが現在端末の立場で受信が可能かどうかである。
【０１０８】
即ち、１次キャリア（Ｐｒｉｍａｒｙ  ｃａｒｒｉｅｒ）に比べて小さいカバレッジを有するキャリアに対してのみこのようなトリガ条件が必要である。その理由は、一般的に大きいカバレッジを有するキャリアの領域が小さいカバレッジを有するキャリアの領域を含むためである。
【０１０９】
（１）トリガ条件１
前述したように、セルの中心部に行くほど小さいカバレッジを有するキャリアの可用確率が高まり、即ち、最も容易に使用することができるトリガ条件は、１次キャリアのパワー（ｐｏｗｅｒ）、ＳＩＮＲ、ＲＳＳＩなどの値が特定値以上である場合である。
【０１１０】
基地局は、２つのキャリアのカバレッジに対する情報を知っているため、１次キャリア基準に特定値がどの以上になる場合、スキャニングの開始を知らせることができる。この値は、受信機の性能とは関係なしに基地局観点で決定しなければならないため、信号パワー（Ｓｉｇｎａｌ  Ｐｏｗｅｒ）又はＲＳＳＩのような値がトリガのために使われることができる。
【０１１１】
端末は、セルの中心に進入しつつ該当トリガ値が特定２次キャリアのトリガ条件を満たすと、該当２次キャリアのスキャニングを開始することができる。
【０１１２】
（２）トリガ条件２
反対に、もし、端末が可用領域から非可用領域に移動する場合にも該当トリガ値が特定値以下になると、スキャニングを開始することができる。
【０１１３】
２．２次キャリア活性化のためのスキャン報告トリガ条件
前記トリガ条件１によってスキャニングが開始される場合、スキャニングした値が特定値以上になると、端末は、これを基地局に報告して現在キャリアが可用かどうかを知らせることができる。
【０１１４】
反対に、前記トリガ条件２によってスキャニングが開始される場合にはスキャニング値が特定値以下になると、端末は、これを基地局に報告して現在キャリアが可用かどうかを知らせることができる。端末は、スキャニング結果に対するリポートを基地局に周期的に知らせることができ、満たす状況に一回のみ送信することもできる。
【０１１５】
可用／非可用の判断可否は、共用（ｃｏｍｍｏｎ）値（ＲＳＳＩ、Ｓｉｇｎａｌ  Ｐｏｗｅｒ）などに基づいて決定されることもできるが、実際送受信と関連した値であるため、端末の受信アンテナ数、受信機性能などに影響を受けることができる。それで、この場合、ＳＩＮＲ、ＣＩＮＲなどの値を使用して実際受信性能に基づいて決定することが好ましい。
【０１１６】
もし、受信性能に基づく場合には全体セルで全てのキャリアに同じトリガ条件値を使用することができ、この場合、トリガ条件送信によるオーバーヘッド（ｏｖｅｒｈｅａｄ）を減少させることができる。
【０１１７】
従って、基地局は、端末の報告ベースの特定２次キャリアが活性化が可能かどうかを確認することができる。
【０１１８】
また、特定２次キャリアの不活性（Ｄｅ−ａｃｔｉｖａｔｉｏｎ）の場合には活性キャリアのＣＱＩなどのフィードバック（ｆｅｅｄｂａｃｋ）に基づいて可用可否を確認することができる。
【０１１９】
また、端末がスキャニング結果報告（Ｒｅｐｏｒｔｉｎｇ）を基地局に一回する場合には前記スキャニング結果報告をすることがスキャニングの解除条件になることができる。
【０１２０】
結局、必要なトリガ条件がキャリア毎に２個、リポート条件（ｒｅｐｏｒｔ  ｃｏｎｄｉｔｉｏｎ）もキャリア毎に２個になることができ、ｒｅｐｏｒｔ  ｃｏｎｄｉｔｉｏｎは、ネットワーク当たり２個を定義する方法もあり、２個を定義する代わりに中間値に定義した後予め決まったマージン（ｍａｒｇｉｎ）を＋又は−にして２個を類推することもできる。
【０１２１】
図７は、第２の実施例のトリガ条件１による端末がセル中心に移動する場合、１次キャリアのパワーと２次キャリアのＳＩＮＲによるスキャニング及びスキャン報告のためのトリガ値を示す。
【０１２２】
図８は、第２の実施例のトリガ条件２による端末がセル中心から離れる方向に移動する場合、１次キャリアのパワーと２次キャリアのＳＩＮＲによるスキャニング及び報告のためのトリガ値を示す。
【０１２３】
下記の表６は、キャリア管理のためのマルチキャリア特定トリガフィールドがＡＡＩ＿ＮＢＲ−ＡＤＶメッセージに含まれた場合の一例を示す。
【０１２４】
【表６】
0005572260.tif 000007
表６を参照すると、マルチキャリア特定トリガフィールドは、割当キャリアに対するトリガ条件を示す表９乃至表１２で定義されたエンコーディングを有するマルチキャリア特定トリガを意味する。
【０１２５】
もし、マルチキャリア特定トリガが特定キャリアのために端末に送信される場合、端末は、前記エンコーディングによりトリガされた動作を実行する。その他、端末は、前記キャリアに対する特定動作を実行する必要がなく、参照キャリア（一例に、以前キャリア）の測定結果を参照する。
【０１２６】
下記の表７は、キャリア管理のためのマルチキャリア特定トリガフィールドがＡＡＩ＿ＭＣ−ＡＤＶメッセージに含まれる場合の一例を示す。
【０１２７】
【表７】
0005572260.tif 000008
第３の実施例
本発明の第３の実施例は、キャリア管理（Ｃａｒｒｉｅｒ  Ｍａｎａｇｅｍｅｎｔ）（一例に、２次キャリア活性化又は１次キャリア変更）のためのトリガ条件（ｔｒｉｇｇｅｒ  ｃｏｎｄｉｔｉｏｎ）を定義し、前記定義されたトリガ条件を含むメッセージ送信方法を提供する。
【０１２８】
まず、本発明の第３の実施例で提案する方法以前にはＨＯ実行を目的に隣接基地局の特定キャリアに対するチャネル状態を測定するためのトリガ条件をＡＡＩ＿ＳＣＤメッセージを介して定義するようにしている。
【０１２９】
然しながら、サービング基地局（ｓｅｒｖｉｎｇ  ｃｅｌｌ）に属するキャリアに対するスキャニングは、基地局の指示によりＳＣＮ−ＲＥＱ／ＲＳＰ／ＲＥＰメッセージ過程を介して実行可能に定義しているが、複数の２次キャリア（ｍｕｌｔｉｐｌｅ  ｓｅｃｏｎｄａｒｙ  ｃａｒｒｉｅｒ）に対するスキャニングのためのトリガ条件（ｔｒｉｇｇｅｒ  ｃｏｎｄｉｔｉｏｎ）は、別途に定義していない。
【０１３０】
即ち、従来スキャニング動作と関連しては、端末が任意の値によりターゲットキャリア（ｔａｒｇｅｔ  ｃａｒｒｉｅｒ）のチャネル状態が良くなることを認識しても、該当キャリアに対するチャネル状態測定を実行しない。
【０１３１】
また、端末はスキャニングを実行したとしても、前記スキャニング実行結果に対する基地局へのリポート（ＳＣＮ−ＲＥＰメッセージ送信）は、基地局からスキャン応答（ＳＣＮ−ＲＳＰ）メッセージを受信した場合にのみ送信する。即ち、セル内の任意のキャリアに対する端末のチャネル状態情報送信は、基地局の要求によってのみ送信される。
【０１３２】
このような場合、基地局は、端末に対するキャリア管理（ｃａｒｒｉｅｒ  ｍａｎａｇｅｍｅｎｔ）が必要な場合、まず、端末にスキャニングを要求し、端末から前記スキャニング結果を受信した後にキャリア管理を実行するようになる。この場合、マルチキャリア動作のために実行することができるキャリア管理関連過程に対する遅延を発生させるようになる。
【０１３３】
また、前述したように、基地局が端末にスキャニングを要求せずに、基地局が任意に端末に対してキャリア管理（一例に、割当２次キャリアに対する活性化）を指示するようになる場合、ターゲットキャリア（ｔａｒｇｅｔ  ｃａｒｒｉｅｒ）のチャネル状態を知らない状態で任意にターゲットキャリアを選択するようになることによって、ターゲットキャリア（ｔａｒｇｅｔ  ｃａｒｒｉｅｒ）のチャネル状態が悪い場合、キャリア管理が失敗したり非効率的なキャリア管理を招く。
【０１３４】
以下、本発明の第３の実施例によるキャリア管理（一例に、２次キャリア活性化）のためのトリガ条件を定義し、前記定義されたトリガ条件を送信する方法に対して具体的に説明する。
【０１３５】
１．割当キャリアに対する端末のスキャニング
キャニング過程は、端末がキャリア管理（一例に、２次キャリア活性化又は１次キャリア変更）のために割り当てられたキャリアに対する測定を実行して必要なシステム構成情報を獲得するための機会を提供する。
【０１３６】
端末は、マルチキャリア接合に対する能力が許容される場合、スキャニングのための専用時間区間無しに割当キャリアに対する測定を実行することができる。
【０１３７】
基地局は、ＳＣＤメッセージ（又はＭＣ−ＡＤＶメッセージ、ＮＢＲ−ＡＤＶメッセージ、ＳＦＨ、ＭＣ−ＲＳＰメッセージ）内にターゲット（又は対象）キャリアに基づくトリガパラメータ値を明示することができる。また、基地局は、端末がスキャンするターゲットキャリア形態（完全又は部分的に構成された）及び／又はＳＣＤメッセージ内で定義された値をオーバーライド（ｏｖｅｒｒｉｄｅ）した平均パラメータを明示することができる。
【０１３８】
ここで、キャリア管理のために使われるトリガ条件は、ハンドオーバのために使われるトリガ条件と違ってネットワーク再進入後に端末に可能の限り速く受信すべき情報である。従って、前記キャリア管理のために使われるトリガ条件は、ＡＡＩ＿ＳＣＤメッセージを介して送信されることよりは異なるメッセージ又はスーパーフレームヘッダ（ＳＦＨ）を介して送信されることが好ましい。
【０１３９】
もし、ＡＡＩ＿ＳＣＤ（又は、ＳＦＨ、ＡＡＩ＿ＭＣ−ＡＤＶ）メッセージを介してキャリア管理のために定義されたトリガ条件が送信され、隣接基地局のＡＡＩ＿ＳＣＤメッセージに対する情報がサービング基地局のＡＡＩ＿ＳＣＤ情報と異なる場合、隣接ＡＢＳの他のＡＡＩ＿ＳＣＤ情報は、ＡＡＩ＿ＮＢＲ−ＡＤＶで送信されることが好ましい。
【０１４０】
もし、端末の能力（ｃａｐａｂｉｌｉｔｙ）に対する制約により、基地局から割り当てられた割当２次キャリアを同時にスキャニングすることができない場合、端末は、基地局に時間インターバル（ｔｉｍｅ  ｉｎｔｅｒｖａｌ）の割当を受けなければならない。このような場合、割当キャリアに対する端末のスキャニング過程は、以下のように実行されることができる。
【０１４１】
基地局は、端末の能力に対する制約により同時に割当キャリア及び活性キャリアに対するチャネル状態測定を実行することができない時、キャリアを探してモニタするように端末に時間インターバルを割り当てることができる。
【０１４２】
２．割当キャリアに対するトリガ条件定義
（１）端末がスキャニング過程を開始する時、定義する条件
（２）端末がサービング基地局にスキャニング測定結果を報告する時、定義する条件
（３）端末がキャリア管理要求メッセージを送信することによって１次キャリア変更を開始しようとする時、定義する条件
−  端末がキャリア管理（一例に、２次キャリア管理（ｓｅｃｏｎｄａｒｙ  ｃａｒｒｉｅｒ  ｍａｎａｇｅｍｅｎｔ）又は１次キャリア変更（ｐｒｉｍａｒｙ  ｃａｒｒｉｅｒ  ｃｈａｎｇｅ））を開始するように定義される場合、端末のキャリア管理過程要求のためにキャリア管理要求（ＡＡＩ＿ＣＭ−ＲＥＱ）メッセージが定義されることができ、前記キャリア管理要求メッセージは、基地局がキャリア管理命令（ＡＡＩ＿ＣＭ−ＣＭＤ）メッセージを送信するようにすることができる。
【０１４３】
（４）ターゲットキャリアが到達することができない（ｕｎｒｅａｃｈａｂｌｅ）場合、定義するための条件
（５）端末が現在活性キャリアを有して通信を維持することができない場合、定義するための条件
（６）キャリア管理取消のための条件
マルチキャリア特定（又はキャリア活性化）トリガ条件（ＭＣ−ｓｐｅｃｉｆｉｃ  ｔｒｉｇｇｅｒ  ｃｏｎｄｉｔｉｏｎ又はＣＡ−ｓｐｅｃｉｆｉｃｔｒｉｇｇｅｒ  ｃｏｎｄｉｔｉｏｎ）定義
ハンドオーバ（ＨＯ）実行のためのハンドオーバ関連トリガ条件（Ｔｒｉｇｇｅｒ  ｃｏｎｄｉｔｉｏｎ）は、システム構成デスクリプト（ｄｅｓｃｒｉｐｔ）（ＳＣＤ）メッセージを介して基地局から端末に送信される。
【０１４４】
ここで、基地局がマルチキャリア（又はキャリア活性化）特定トリガ条件（ＭＣ−Ｓｐｅｃｉｆｉｃ  Ｔｒｉｇｇｅｒ  ｃｏｎｄｉｔｉｏｎ又はＣＡ−ｓｐｅｃｉｆｉｃ  ｔｒｉｇｇｅｒ  ｃｏｎｄｉｔｉｏｎ）をＡＡＩ＿ＳＣＤメッセージを介して端末に送信する場合、前記ＨＯのためのトリガ条件と区別するために異なるトリガ条件として定義される。
【０１４５】
また、前記マルチキャリア特定トリガ条件は、前記ＨＯのためのトリガ条件と区別のために、前記ＳＣＤメッセージだけでなく、マルチキャリア広告（ＡＡＩ＿ＭＣ−ＡＤＶ）メッセージ、隣接広告（ＡＡＩ＿ＮＢＲ−ＡＤＶ）メッセージ、マルチキャリア応答（ＡＡＩ＿ＭＣ−ＲＳＰ）メッセージ、又はスーパーフレームヘッダ（ＳＦＨ）を介して送信されることができる。
【０１４６】
また、前記マルチキャリア特定トリガ条件は、基地局特定（ＡＢＳ−ｓｐｅｃｉｆｉｃ）、キャリア特定（ｃａｒｒｉｅｒ−ｓｐｅｃｉｆｉｃ）又はネットワーク特定（ｎｅｔｗｏｒｋ−ｓｐｅｃｉｆｉｃ）するように定義される。
【０１４７】
まず、下記の表８は、マルチキャリア特定トリガ制御情報（条件）に含まれる項目の一実施例を示す。
【０１４８】
【表８】
0005572260.tif 000009
下記の表９は、前記表８でのマルチキャリア特定トリガ制御情報に含まれた項目のうちＴｙｐｅ／Ｆｕｎｃｔｉｏｎ／Ａｃｔｉｏｎ項目の一実施例を示す。
【０１４９】
【表９】
0005572260.tif 000010
下記の表１０は、マルチキャリア特定トリガ制御情報に含まれた項目のうちＴｙｐｅ／Ｆｕｎｃｔｉｏｎ／Ａｃｔｉｏｎ項目の他の実施例を示す。
【０１５０】
【表１０】
0005572260.tif 000011
表１０を参照すると、マルチキャリア特定トリガ制御情報にはトリガメトリックタイプを示すタイプ（Ｔｙｐｅ）フィールドを含む。前記タイプフィールドが一例に、‘０ｘ０’に設定された場合にはＣＩＮＲメトリックを示し、‘０ｘ１’に設定された場合にはＲＳＳＩメトリックを示し、‘０ｘ２’に設定された場合にはＲＴＤメトリックを示し、‘０ｘ３’に設定された場合、メトリックはＰ−ＳＦＨｓを連続的に受信されない回数を示し、‘０ｘ４’に設定された場合にはＲＤメトリックを示す。
【０１５１】
また、トリガ条件を定義する計算を示す機能（ｆｕｎｃｔｉｏｎ）フィールドを含む。一例に、前記機能フィールドが‘０ｘ１’に設定された場合、割当キャリアのメトリックが絶対値（又は、閾値）より大きい場合にトリガ条件を満たし、‘０ｘ２’に設定された場合、割当キャリアのメトリックが絶対値より小さい場合にトリガ条件を満たし、‘０ｘ３’に設定された場合、割当キャリアのメトリックが１次キャリアのメトリックより相対的に大きい場合にトリガ条件を満たし、‘０ｘ４’に設定された場合、割当キャリアのメトリックが１次キャリアのメトリックより相対的に小さい場合にトリガ条件を満たし、‘０ｘ５’に設定された場合、活性（又は１次）キャリアのメトリックが絶対値より大きい場合にトリガ条件を満たし、‘０ｘ６’に設定された場合、活性（又は１次）キャリアのメトリックが絶対値より小さい場合にトリガ条件を満たす。
【０１５２】
また、マルチキャリア特定トリガ条件は、トリガ条件に到達した時、実行される動作（ａｃｔｉｏｎ）フィールドをさらに含む。
【０１５３】
前記動作フィールドが一例に、‘０ｘ１’に設定された場合、トリガ条件を満たすと、端末はスキャニング実行結果に対してスキャンリポート（ＳＣＮ−ＲＥＰ）メッセージを基地局に送信する。また、‘０ｘ２’に設定された場合、トリガ条件を満たすと、端末は基地局にキャリア管理（ＣＭ−ＲＥＱ）要求メッセージを送信する。‘０ｘ３’に設定された場合、トリガ条件を満たすと、端末は基地局にスキャン要求（ＳＣＮ−ＲＥＱ）メッセージを送信する。‘０ｘ４’に設定された場合、該当キャリアが到達することができないことを示す。‘０ｘ５’に設定された場合、キャリア管理取消を示し、‘０ｘ６’である場合、トリガ条件を満たすと、割当キャリアに対するスキャニングを開始する。
【０１５４】
下記の表１１は、マルチキャリア特定トリガ制御情報に含まれた項目のうちＴｙｐｅ／Ｆｕｎｃｔｉｏｎ／Ａｃｔｉｏｎ項目の他の実施例を示す。
【０１５５】
特に、下記の表１１は、キャリア管理のためのマルチキャリア特定トリガ条件に必要な値のみが定義された一例を示す。即ち、Ｆｕｎｃｔｉｏｎ及びａｃｔｉｏｎフィールドは下、記の表１１に示すように、キャリア管理のために必要な値のみにより定義されることができる。
【０１５６】
【表１１】
0005572260.tif 000012
もし、ＨＯのためのトリガ条件を送信するＡＡＩ＿ＳＣＤメッセージとは異なるメッセージを介して本発明で提案するトリガ条件（ｔｒｉｇｇｅｒ  ｃｏｎｄｉｔｉｏｎ）が送信される場合、これはＨＯのようなトリガ条件を同じに使用し、他の意味として解釈される。
【０１５７】
下記の表１２は、マルチキャリア特定トリガ制御情報に含まれた項目のうちＴｙｐｅ／Ｆｕｎｃｔｉｏｎ／Ａｃｔｉｏｎ項目の他の実施例を示す。
【０１５８】
【表１２】
0005572260.tif 000013
前記表８乃至表１２で説明したように、端末が割当２次キャリアから測定したチャネル状態情報（ＣＩＮＲ、ＲＳＳＩ、ＲＴＤ）のメトリックが前記マルチキャリア特定トリガ制御情報のスキャニング開始条件を満たす場合、端末は、前記割当２次キャリアに対するスキャンを開始する。この場合、端末は、基地局から必要によって送信されるスキャン応答メッセージがなくても前記スキャニングトリガ条件を満たす場合、割当２次キャリア（不活性２次キャリア含む）に対するスキャニングを実行することができる。
【０１５９】
また、前記スキャニング実行結果が前記マルチキャリア特定トリガ制御情報のスキャンリポート条件を満たし、基地局にスキャン報告をトリガする場合、端末は、前記スキャニングを介して測定された送信対干渉及び雑音比（Ｃａｒｒｉｅｒｔｏ  Ｉｎｔｅｒｆｅｒｅｎｃｅ  ａｎｄ  Ｎｏｉｓｅ  Ｒａｔｉｏ；ＣＩＮＲ）、受信信号強度指示（Ｒｅｃｅｉｖｅｄ  Ｓｉｇｎａｌ  Ｓｔｒｅｎｇｔｈ  Ｉｎｄｉｃａｔｉｏｎ；ＲＳＳＩ）、及び往復遅延時間（Ｒｏｕｎｄ  Ｔｒｉｐ  Ｄｅｌａｙ；ＲＴＤ）等（スキャニング実行結果）をスキャンリポート（ＳＣＮ−ＲＥＰ）メッセージを介して基地局に送信する。
【０１６０】
マルチキャリア特定トリガ条件（ＭＣ−ｓｐｅｃｉｆｉｃ  Ｔｒｉｇｇｅｒ  ｃｏｎｄｉｔｉｏｎ）送信方法
以下、前記で言及したマルチキャリア特定トリガ制御情報（条件）が所定のメッセージを介して基地局から端末に送信される各実施例に対して説明する。
【０１６１】
１．ＡＡＩ＿ＭＣ−ＡＤＶメッセージを介するマルチキャリア特定トリガ条件送信
（１）ＭＣ−ｓｐｅｃｉｆｉｃ  Ｔｒｉｇｇｅｒ  ｃｏｎｄｉｔｉｏｎがＡＢＳ−ｓｐｅｃｉｆｉｃである場合
下記の表１３は、マルチキャリア特定トリガ条件がＭＣ−ＡＤＶメッセージを介して送信され、ＡＢＳ−ｓｐｅｃｉｆｉｃである場合に対する一例を示す。
【０１６２】
【表１３】
0005572260.tif 000014
（２）ＭＣ−ｓｐｅｃｉｆｉｃ  Ｔｒｉｇｇｅｒ  ｃｏｎｄｉｔｉｏｎがキャリア特定（ｃａｒｒｉｅｒ−ｓｐｅｃｉｆｉｃ）である場合
下記の表１４は、マルチキャリア特定トリガ条件がＭＣ−ＡＤＶメッセージを介して送信され、キャリア特定（ｃａｒｒｉｅｒ−ｓｐｅｃｉｆｉｃ）である場合に対する一例である。
【０１６３】
【表１４】
0005572260.tif 000015
（３）マルチキャリア特定トリガ条件がネットワーク特定（ｎｅｔｗｏｒｋ−ｓｐｅｃｉｆｉｃ）である場合
下記の表１５は、マルチキャリア特定トリガ条件（Ｔｒｉｇｇｅｒ  ｃｏｎｄｉｔｉｏｎ）がＭＣ−ＡＤＶメッセージを介して送信され、ネットワーク特定（ｎｅｔｗｏｒｋ−ｓｐｅｃｉｆｉｃ）である場合に対する一例を示す。この場合、全てのセルで同じトリガ条件（ｔｒｉｇｇｅｒ  ｃｏｎｄｉｔｉｏｎ）を用い、トリガメトリックタイプ（ｔｒｉｇｇｅｒ  ｍｅｔｒｉｃ  ｔｙｐｅ）は、ＣＩＮＲを使用することができる。
【０１６４】
【表１５】
0005572260.tif 000016
２．ＡＡＩ＿ＮＢＲ−ＡＤＶメッセージを介するマルチキャリア特定トリガ条件送信
（１）マルチキャリア特定トリガ条件が基地局特定（ＡＢＳ−ｓｐｅｃｉｆｉｃ）である場合
下記の表１６は、ＮＢＲ−ＡＤＶメッセージを介してマルチキャリア特定トリガ条件を送信し、基地局特定（ＡＢＳ−ｓｐｅｃｉｆｉｃ）である場合に対する一例を示す。
【０１６５】
【表１６】
0005572260.tif 000017
（２）マルチキャリア特定トリガ条件がキャリア特定（ｃａｒｒｉｅｒ−ｓｐｅｃｉｆｉｃ）である場合
下記の表１７は、トリガ条件がＮＢＲ−ＡＤＶメッセージを介して送信され、キャリア特定（ｃａｒｒｉｅｒ−ｓｐｅｃｉｆｉｃ）である場合に対する一例である。
【０１６６】
【表１７】
0005572260.tif 000018
３．ＭＣ−ＲＳＰメッセージを介するマルチキャリア特定トリガ条件送信
（１）マルチキャリア特定トリガ条件が基地局特定である場合
下記の表１８は、トリガ条件がＭＣ−ＲＳＰメッセージを介して送信され、基地局特定である場合に対する一例である。
【０１６７】
【表１８】
0005572260.tif 000019
（２）マルチキャリア特定トリガ条件がキャリア特定（ｃａｒｒｉｅｒ−ｓｐｅｃｉｆｉｃ）である場合
下記の表１９は、トリガ条件がＭＣ−ＲＳＰメッセージを介して送信され、キャリア特定（ｃａｒｒｉｅｒ−ｓｐｅｃｉｆｉｃ）である場合に対する一例である。
【０１６８】
【表１９】
0005572260.tif 000020
図９は、本発明の第３の実施例によるマルチキャリア特定トリガ条件を含むマルチキャリア広告メッセージを介して、割当２次キャリアのスキャニング結果を報告する方法を示す。
【０１６９】
図９に示すように、基地局は、Ｃ＿０乃至Ｃ＿２の三個のキャリアを可用キャリアとして使用し、そのうちＣ＿０キャリアが端末の１次キャリアに設定され、残りは割当２次キャリアに設定された（即ち、基地局と端末との間のＡＡＩ＿ＭＣ−ＲＥＱ／ＲＳＰメッセージ交換を終えた状態）場合を仮定する。ここで、残りの割当キャリアＣ＿１及びＣ＿２を不活性割当２次キャリアであると仮定し、前記Ｃ＿１及び／又はＣ＿２キャリアを活性化させるためのキャリアスキャニング関連動作に対して説明する。
【０１７０】
まず、端末は、１次キャリアであるＣ＿０を介して基地局と制御情報及びデータ交換を実行することができる（Ｓ９０１）。
【０１７１】
基地局は、キャリア管理（一例に、２次キャリア活性化又は１次キャリア変更）関連トリガ制御情報を含むマルチキャリア広告（ＡＡＩ＿ＭＣ−ＡＤＶ）メッセージを端末に送信する（Ｓ９０２）。
【０１７２】
ここで、前記キャリア管理関連トリガ制御情報は、割当２次キャリアに対するスキャニングトリガ条件、スキャン報告トリガ条件のようなトリガ条件に関するものが含まれることができる。また、前記キャリア管理関連トリガ制御情報は、ＡＡＩ＿ＳＣＤメッセージ、ＡＡＩ＿ＭＣ−ＡＤＶ、ＡＡＩ＿ＮＢＲ−ＡＤＶ、又はスーパーフレームヘッダ（ＳＦＨ）等を介して送信されることができる。
【０１７３】
ここで、前記キャリア管理関連トリガ制御情報に割当２次キャリアに対するスキャニング実行のトリガ条件が含まれている場合、端末は、基地局からスキャン応答（ＳＣＮ−ＲＳＰ）メッセージを受信しなくても、前記キャリア管理関連トリガ制御情報に設定されたスキャニングトリガ条件を満たす場合、割当２次キャリアに対するスキャニングを実行することができる。
【０１７４】
また、基地局は、必要によってスキャン応答（ＳＣＮ−ＲＳＰ）メッセージを送信し、端末に割当２次キャリアに対するスキャニング実行を指示することができる。
【０１７５】
これによって、端末は、Ｃ＿１及びＣ＿２キャリアに対するスキャニングを実行し（Ｓ９０３）、前記スキャニング実行結果が前記キャリア管理関連トリガ制御情報に設定された条件を満たす場合（Ｓ９０４）、前記スキャニング実行結果を前記基地局にリポートする。ここで、端末は、スキャンリポート（ＳＣＮ−ＲＥＰ）メッセージを介して前記スキャニング実行結果を基地局に送信する（Ｓ９０５）。
【０１７６】
以後、基地局は、前記端末から送信されたスキャニング実行結果を参照し、割当２次キャリア（Ｃ＿１及び／又はＣ＿２）に対する活性化を指示するためにキャリア管理命令（ＡＡＩ＿ＣＭ−ＣＭＤ）メッセージを端末に送信することができる（Ｓ９０６）。
【０１７７】
第４の実施例
本発明の第４の実施例は、基地局が予め定義されたトリガ条件（ｔｒｉｇｇｅｒ  ｃｏｎｄｉｔｉｏｎ）外に他のトリガ条件（ｃｏｎｄｉｔｉｏｎ）を満たした時、端末からＳＣＮ−ＲＥＰメッセージを受信することを所望の場合、ユニキャスト（ｕｎｉｃａｓｔ）メッセージを介してトリガ条件を端末に送信する方法を提供する。
【０１７８】
現在、ＩＥＥＥ８０２．１６は、２次キャリア（ｓｅｃｏｎｄａｒｙ  ｃａｒｒｉｅｒ）の活性化（ａｃｔｉｖａｔｉｏｎ）のために不活性キャリア（ｉｎａｃｔｉｖｅ  ｃａｒｒｉｅｒ）のスキャニング結果又はハンドオーバ（ＨＯ）のために隣接基地局（ｎｅｉｇｈｂｏｒ  ＡＢＳ）のスキャニング結果を基地局に送信する方法を以下のような３つの方法により定義する。
【０１７９】
（１）０ｂ００：Ｎｏ  ｒｅｐｏｒｔ
（２）０ｂ０１：Ｐｅｒｉｏｄｉｃ  ｒｅｐｏｒｔ
（３）０ｂ１０：Ｅｖｅｎｔ−ｔｒｉｇｇｅｒｅｄ  ｒｅｐｏｒｔ
（４）０ｂ１１：Ｏｎｅ−ｔｉｍｅｓｃａｎ  ｒｅｐｏｒｔ
即ち、基地局は、前記のような３つの方法のうちどの方法を用いてＳＣＮ−ＲＥＰを送信しなければならないかをＳＣＮ−ＲＳＰメッセージのｒｅｐｏｒｔ  ｍｏｄｅを介して端末に知らせる。
【０１８０】
また、現在ＩＥＥＥ８０２．１６は、基地局が各隣接基地局又は２次／隣接キャリアに対するトリガ条件（ｔｒｉｇｇｅｒ  ｃｏｎｄｉｔｉｏｎ）をブロードキャスト方式に端末に送信する。一例に、ＡＡＩ＿ＳＣＤ、ＡＡＩ＿ＭＣ−ＡＤＶ又はＡＡＩ＿ＮＢＲ−ＡＤＶ  ｍｅｓｓａｇｅを介して送信する。即ち、基地局は、端末にスキャニングを実行する対象に対するトリガ条件をユニキャスト方式に送信しない。
【０１８１】
下記の表２０は、ＳＣＮ−ＲＳＰメッセージのリポートモードが‘Ｏｂ１０’（Ｅｖｅｎｔ−ｔｒｉｇｇｅｒｅｄ  ｒｅｐｏｒｔ）に設定された場合、トリガ条件を含む一例を示す。
【０１８２】
【表２０】
0005572260.tif 000021
表２０を参照すると、リポートモード（Ｒｅｐｏｒｔ  ｍｏｄｅ）がｅｖｅｎｔ−ｔｒｉｇｇｅｒｅｄ  ｒｅｐｏｒｔ（一例に、‘０ｂ１０’）であり、ハンドオーバのためにスキャニングを要求する場合、各隣接基地局（ｎｅｉｇｈｂｏｒ  ＡＢＳｓ）又は隣接基地局のキャリア（ら）に対するスキャン実行結果を送信するためのトリガ条件をＳＣＮ−ＲＳＰメッセージを介して端末に知らせるようにする。
【０１８３】
従って、基地局から前記のようなトリガ条件を含むＡＡＩ＿ＳＣＮ−ＲＳＰメッセージを受信した端末は、該当基地局又はキャリアに対するスキャニングを実行し、該当トリガ条件を満たすと、スキャニング報告メッセージを基地局に送信する。
【０１８４】
下記の表２１は、ＳＣＮ−ＲＳＰメッセージのリポートモードが‘Ｏｂ１０’（Ｅｖｅｎｔ−ｔｒｉｇｇｅｒｅｄ  ｒｅｐｏｒｔ）に設定された場合、トリガ条件を含む他の一例を示す。
【０１８５】
【表２１】
0005572260.tif 000022
表２１を参照すると、リポートモードがｅｖｅｎｔ−ｔｒｉｇｇｅｒｅｄ  ｒｅｐｏｒｔ（一例に、‘０ｂ１０’）であり、２次キャリア活性化（ｓｅｃｏｎｄａｒｙ  ｃａｒｒｉｅｒ  ａｃｔｉｖａｔｉｏｎ）のために端末にスキャニングを要求する場合、端末が各２次キャリアに対するスキャン結果を基地局に送信するためのキャリア活性化特定トリガ定義（ＣＡ  ｓｐｅｃｉｆｉｃ  ｔｒｉｇｇｅｒ  ｄｅｆｉｎｉｔｉｏｎｓ）をＳＣＮ−ＲＳＰメッセージを介して知らせるようにする。
【０１８６】
また、Ｒｅｐｏｒｔ  ｍｏｄｅがｅｖｅｎｔ−ｔｒｉｇｇｅｒｅｄ  ｒｅｐｏｒｔであり、１次キャリア変更のためにスキャニングを要求する場合、各ターゲット不活性キャリアに対するスキャン結果を送信するためのＰＣＣ  ｓｐｅｃｉｆｉｃ  ｔｒｉｇｇｅｒ  ｄｅｆｉｎｉｔｉｏｎｓをＳＣＮ−ＲＳＰメッセージを介して知らせるようにする。
【０１８７】
従って、基地局から前記のようなトリガ条件を含むＡＡＩ＿ＳＣＮ−ＲＳＰメッセージを受信した端末は、該当キャリアに対するスキャニングを実行し、該当トリガ条件を満たすと、スキャニング報告メッセージを基地局に送信する。
【０１８８】
図１０は、本発明の一実施例による無線通信システムを示すブロック図である。
【０１８９】
基地局１０１０は、制御部１０１１、メモリ１０１２、及び無線通信（ＲＦ）部（ｒａｄｉｏ  ｆｒｅｑｕｅｎｃｙ  ｕｎｉｔ）１０１３を含む。
【０１９０】
制御部１０１１は、提案された機能、過程及び／又は方法を具現する。無線インターフェースプロトコルの階層は、制御部１０１１により具現されることができる。
【０１９１】
制御部１０１１は、不活性２次キャリアの活性化を決定する場合、不活性２次キャリアのスキャン報告トリガ条件を含むメッセージ（一例に、マルチキャリア広告メッセージ）を端末に送信するように制御することができる。
【０１９２】
メモリ１０１２は、制御部１０１１と連結され、不活性２次キャリアのスキャン報告トリガ条件のためのプロトコルやパラメータを格納する。ＲＦ部１０１３は、制御部１０１１と連結され、無線信号を送信及び／又は受信する。
【０１９３】
端末１０２０は、制御部１０２１、メモリ１０２２、及び無線通信（ＲＦ）部１０２３を含む。
【０１９４】
制御部１０２１は、提案された機能、過程及び／又は方法を具現する。無線インターフェースプロトコルの階層は、制御部１０２１により具現されることができる。制御部１０２１は、不活性２次キャリアのスキャニング実行結果、不活性２次キャリアのスキャン報告トリガ条件を満たす場合、前記スキャニング実行結果をスキャンリポートメッセージを介して基地局に送信するように制御することができる。
【０１９５】
メモリ１０１２は、制御部１０２１と連結され、不活性２次キャリアのスキャン報告のためのプロトコルやパラメータを格納する。ＲＦ部１０１３は、制御部１０２１と連結され、無線信号を送信及び／又は受信する。
【０１９６】
制御部１０１１、１０２１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ１０１２、１０２２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部１０１３、１０２３は、無線信号を処理するためのベースバンド回路を含むことができる。実施例がソフトウェアで具現される時、前述した技法は、前述した機能を遂行するモジュール（過程、機能など）で具現されることができる。モジュールは、メモリ１０１２、１０２２に格納され、制御部１０１１、１０２１により実行されることができる。メモリ１０１２、１０２２は、制御部１０１１、１０２１の内部又は外部にあり、よく知られた多様な手段で制御部１０１１、１０２１と連結されることができる。
【図４（ａ）】
0005572260.tif 000023
【図４（ｂ）】
0005572260.tif 000024
【図１】
0005572260.tif 000025
【図２】
0005572260.tif 000026
【図３】
0005572260.tif 000027
【図５】
0005572260.tif 000028
【図６】
0005572260.tif 000029
【図７】
0005572260.tif 000030
【図８】
0005572260.tif 000031
【図９】
0005572260.tif 000032
【図１０】
0005572260.tif 000033